(57)【要約】      （修正有）【課題】義肢装具士が義肢装具を製作するために、上肢・下肢障害者身体の寸法測定を行う場合、作業性が良く、片手で作業できる携帯型寸法測定器を提供する。【解決手段】スライド孔６を有する凹型枠２と、弱い圧力バネ１０を介し測定時に該圧力バネ１０を圧縮して該スライド孔６をスライドする測定棒７、該スライド棒７に計測用定規５を取付けて該測定棒７の凹型枠２内側の先端に取付けた測定子３と、該測定子３と対向する凹型枠２に、円盤の中心をスライド孔６の中心軸線と一致して取付けた測定子３とほぼ同じ直径の測定円盤４と、該測定棒７の凹型枠２の外側端に取付けた初期間隔設定用ストッパー９を有し、該測定子３と測定円盤４間に初期間隔Ｌ０を設定してあり、前記凹型枠２のスライド孔６を有する側の外側に定規５の目盛読取り基点８を有し、前記初期間隔より大きい寸法を測定する寸法測定器。【選択図】図１
2012132888.tif 000002
【特許請求の範囲】
【請求項１】
スライド孔を有する凹型枠と、弱い圧力バネを介し測定時に該圧力バネを圧縮して該スライド孔をスライドする測定棒、該測定棒の凹型枠内側先端に取付けた測定子と、該測定子と対向する凹型枠に、円盤の中心をスライド孔の軸線上にして取付けた測定子とほぼ同じ直径の測定円盤と、該測定棒の測定子側に測定棒と一緒にスライド自在に取付けた計測用定規と、該測定棒の凹型枠の外側端に取付けた初期間隔設定用ストッパーと、該測定子と測定円盤間に初期間隔を設定してあり、前記凹型枠のスライド孔を有する側の外側に定規の目盛読取り基点を有する寸法測定器。
【請求項２】
スライド孔を有する凹型枠と、弱い圧力バネを介し測定時に該圧力バネを圧縮して該スライド孔をスライドする測定棒、該測定棒の凹型枠内側先端に取付けた測定子と、該測定子と対向する凹型枠に取付けた測定円盤と、該凹型枠の上縁がスライド孔の軸線よりも凹型枠の底部方向に短くなっており該凹型枠の上縁より上に出ないように取付けた測定子とほぼ同じ直径の測定円盤と、該測定棒の測定子側に測定棒と一緒にスライド自在に取付けた計測用定規と、該測定棒の凹型枠の外側端に取付けた初期間隔設定用ストッパーと、該測定子と測定円盤間に初期間隔を設定してあり、前記凹型枠のスライド孔を有する側の外側に定規の目盛読取り基点を有する寸法測定器。
【請求項３】
測定子の一部が凹型枠の底部と反対方向に、測定円盤及び測定円盤をとりつけた凹型枠上縁より長く伸び出すことを特徴とする請求項１に記載の寸法測定器。
【請求項４】
凹型枠を貫通する前記スライド孔の軸線から凹型枠の底辺までの寸法を４〜２０ｃｍとし、前記測定円盤は直径１．５〜４．０ｃｍで厚さ２ｍｍ以上の円盤であり、測定棒先端に取付ける測定子は、該測定円盤の直径とほぼ同じ直径の円盤で、該測定子と測定円盤間との初期間隔を３〜２５ｃｍとし、測定範囲３〜３５ｃｍであることを特徴とした請求項１又は請求項３に記載の寸法測定器。
【発明の詳細な説明】
【技術分野】
【０００１】本発明は、義肢装具士、医療従事者等が患者の上肢・下肢身体部位の寸法を測定する際に使用する寸法測定器に関する。
【背景技術】
【０００２】身体部位の寸法測定器には一般的にＭＬゲージ（図６）や巻尺などのメジャー（図７）が使用されている。然しこれらの測定器を使用した測定作業において作業者は両手を使用して測定することが要求されるので著しく作業性がわるい。【０００３】携帯型の寸法測定器の例としては、特許文献１、特許文献２に見るような、測定手段としてマイクロメーターを用いた精密測定用の例がある。しかし、義肢装具士等が使用する寸法測定器においては、測定作業の簡便性がより求められている。
【先行技術文献】
【０００４】
【特許文献１】特開２００８−２８２０
【特許文献２】特開２００６−１７６６５
【発明の概要】
【発明が解決しようとする課題】
【０００５】前記した既存技術はいずれも義肢装具士が、障害者の上下肢を計測する寸法測定器としては作業性が悪く使い勝手が悪い。【０００６】一般的に使用されているＭＬゲージ（図６）を用いて測定するには、ゲージ本体４１とスライド式測定子４２を広げて測定部位を挟み込んでゲージの目盛を読取るので片手作業は出来ない。【０００７】巻き尺（図７）等紐状のメジャーで測定する場合も、メジャーの両端を測定部位に当てて測るために片手作業には適さない。
【課題を解決するための手段】
【０００８】図１に基づいて、本発明の概要を説明する。厚板材で出来た凹型枠２の一方の突起部にスライド孔６を明け、該スライド孔６に、先端に測定子３を取り付けた測定棒７をスライド自在に組付け、測定棒７の他端に初期間隔設定用ストッパー９により、測定子３と測定円盤４の間に初期間隔Ｌ０を設定して片手で測定部位を容易に挟み込めるようにする。【０００９】前記測定棒７は、採寸作業を容易にするために弱い圧力バネ１０を介して凹型枠の内側からスライド孔に通し凹型枠の外側に初期間隔設定用ストッパー９で止めて組付ける。測定をしない初期状態では、圧力バネの働きで初期間隔設定用ストッパー９に当たるまで測定棒７を押し戻し、初期間隔Ｌ０を設定する。【００１０】請求項１では、スライド孔６を有する凹型枠２と、該スライド孔６をスライド自在に組付けた測定棒７、該測定棒７の凹型枠内側先端に取付けた測定子３と、該測定子と対向する凹型枠に、スライド孔の中心軸線ＸＸ’を円盤の中心と一致して取付けた測定円盤４と、該測定棒７の測定子３側に計測用定規５を取付けて該測定子３と測定円盤４間に初期間隔Ｌ０を設定してあり、前記凹型枠２のスライド孔６を有する凹型枠外側に定規の目盛読取り基点８を有する図１に示す寸法測定器１を記述している。【００１１】これにより障害者身体部位の寸法測定を行う場合に、片手で作業できる義肢装具士用の携帯型の寸法測定器を提供できる。【００１２】請求項２では、スライド孔６を有する凹型枠２２と、弱い圧力バネ１０を介し測定時に該圧力バネ１０を圧縮して該スライド孔６をスライドする測定棒７、該測定棒７の凹型枠内側の先端に取付けた測定子３と、該測定子３と対向する凹型枠に、測定円盤４を取付けた凹型枠の上縁１４をスライド孔６の中心軸線ＸＸ’よりも凹型枠２の底部１１方向に短く変位して取付けた測定円盤４を有する図２に示す寸法測定器２１を記述している。【００１３】これにより測定子を測定ポイントに正確に設定出来るうえに測定部位を片手で挟み込んで測定する作業が容易となる。【００１４】請求項３では、図１における測定子３の一部が凹型枠の底部１１と反対方向に、測定円盤４及び該測定円盤４をとりつけた凹型枠上縁１３より長く伸び出していることを特徴とする請求項１に記載の寸法測定器１を記述している。【００１５】これにより義肢装具士が障害者身体の測定部位を片手で容易に測定できる携帯に便利な寸法測定器を提供できる。【００１６】請求項４では、請求項１及び請求項３に記載の寸法測定器を実現するに当たり図１における寸法測定器のスライド孔６の中心軸線ＸＸ’から凹型枠２の底辺１１までの寸法を４〜２０ｃｍ、測定円盤４の直径を１．５〜４．０ｃｍ、円盤の厚さ２ｍｍ以上、測定子３は測定円盤４とほぼ同じ直径の円盤とし、測定子３と測定円盤４間の初期間隔Ｌ０を３〜２５ｃｍ、測定範囲を３〜３５ｃｍとすることを特徴とする寸法測定器を記述している。【００１７】請求項４において、スライド孔６の中心軸線ＸＸ’と凹型枠底部１１の寸法、測定子３と測定円盤４間の初期間隔Ｌ０、測定範囲の各下限値は肘専用の測定器を想定し、上限値は大腿部の計測を想定して、しかも携帯の簡便性を考慮して設定した。【００１８】測定子３及び測定円盤４の直径並びに円盤の厚さに関しては、測定の作業性と測定精度を考慮して設定した。【００１９】即ち直径に関して、小さすぎると衣服や肌に引っ掛かりやすくなるし、大きすぎると接触面積が大きくなって測定点を特定できなくなる。又厚さに関して、薄すぎると直径同様に衣服や肌に引っ掛かりやすくなる上に凹型枠が測定に支障をきたす。【００２０】請求項１〜請求項４における本件発明の寸法測定器を実現する際に、測定器の本体部分を構成する凹型枠は板材料を削り出した一体構造で表示しているが、材料どりや携帯の簡便性を考慮して分割組立て構造で実現することも可能である。
【発明の効果】
【００２１】前記請求項１〜請求項４の発明により、具体的な大きさ、寸法、構造が明確となり義肢装具士が障害者の上肢・下肢の測定作業を片手で出来る上に携帯にも便利な寸法測定器を実現できる。
【図面の簡単な説明】
【００２２】
【図１】本発明（請求項１）になる寸法測定器見取り図
【図２】本発明（請求項２）になる寸法測定器見取り図
【図３】本発明（請求項１）になる寸法測定器による測定状況説明図
【図４】本発明（請求項３）における測定子のバリエーション図  （ａ）一部が凹型枠底部と反対方向にはみ出す構造の測定子の例  （ｂ）１８０度回転して凹型枠底部と反対方向にはみ出す回転式測定子の例
【図５】計測用目盛付測定棒を採用した寸法測定器の見取り図
【図６】従来から使われているＭＬゲージ
【図７】巻き尺
【発明を実施するための形態】
【００２３】請求項１では、スライド孔６を有する凹型枠２と、弱い圧力バネ１０を介し測定時に該圧力バネ１０を圧縮して該スライド孔６をスライドする測定棒７、該スライド棒７に計測用定規５を取付けて該測定棒７の凹型枠内側の先端に取付けた測定子３と、該測定子と対向する凹型枠に、円盤の中心をスライド孔の軸線と一致して取付けた測定円盤４と、該測定子３と測定円盤４間に初期間隔を設定してあり、前記凹型枠２のスライド孔６を有する外側に定規の目盛読取り基点８を有する寸法測定器１を記述している。
【００２４】図１に示す如く、測定子３と測定円盤４の間に初期間隔Ｌ０を設けて、測定棒７は弱い圧力バネ１０を介してスライド自在に組付けられているために、凹型枠の底部１１を片手で握って体の測定部位の片側に測定子３を当てて測定ギャップを広げて測定円盤４との間に測定部位を挟み込み測定位置にセットして測定することが出来る。
【００２５】寸法測定には図１に示すように、測定前に読取基点８が定規の初期間隔値Ｌ０を指示するようにセットしていて、測定部位を挟み込むことで測定棒がスライドして測定部位の寸法Ｌを表示する。（図３参照）
【００２６】請求項２では、スライド孔６を有する凹型枠２２と、弱い圧力バネ１０を介し測定時に該圧力バネ１０を圧縮して該スライド孔６をスライドする測定棒７、該測定棒７に計測用定規５を取付けて該測定棒７の凹型枠内側の先端に取付けた測定子３と、該測定子３と対向する凹型枠に、測定円盤４を取付けた凹型枠の上縁１４をスライド孔６の軸線ＸＸ’よりも凹型枠２２の底部１１方向に変位して取付けた測定円盤４と、該測定子３と測定円盤４間に初期間隔Ｌ０を設定してあり、前記凹型枠２のスライド孔６を有する外側に定規の目盛読取り基点８を有する寸法測定器２１を記述している。
【００２７】図２に示すように、測定円盤４を組付けた凹型枠の上縁１４をスライド孔６の軸線よりも凹型枠２２の底部１１方向に変位して取付けた測定円盤４と、測定子３の間に初期間隔Ｌ０を設定しているので片手で凹型枠２の底部を握って一方の測定点に測定子を当てて測定棒をスライドさせて測定円盤との間に測定部位を挟込んで測定することが容易にできる。
【００２８】請求項３では、測定子の一部が凹型枠の底部１１と反対方向に、測定円盤４及び測定円盤をとりつけた凹型枠上縁１３より長く伸び出すことを特徴とする請求項１に記載の寸法測定器１を記述している。
【００２９】図４（ａ）に示すように、測定子の一部が凹型枠上縁１２及び１３より凹型枠底部１１と反対方向に長く伸び出すことにより、片手作業で容易に測定子３’を測定点に当てることが可能となる。
【００３０】図４（ｂ）に示すように、測定子３’’を測定棒７に取付け鋲１６で１８０度回転自在に取付け、測定時に１８０度外側に回転して測定子３’’を容易に測定点に当てることができる。
測定子３’’は、長さ１．５〜１０ｃｍで凹型枠２の底部方向を向いてバネで止まっており、計測時に回転させて使用する。
【００３１】請求項４では、凹型枠２を貫通する前記スライド孔の軸線から凹型枠の底辺１１までの寸法を４〜２０ｃｍとし、前記測定円盤４は直径１．５〜４．０ｃｍで厚さ２ｍｍ以上の円盤であり、測定棒７先端に取付ける測定子３は、該測定円盤４の直径と同じ円盤で、該測定子３と測定円盤４間との初期間隔Ｌ０を３〜２５ｃｍとし、測定範囲３〜３５ｃｍであることを特徴とした請求項１又は請求項３に記載の寸法測定器１を記述している。これにより寸法測定器１の具体的な設計が可能となる。
【００３２】寸法測定用定規としては、市販の定規を加工して貼りつける方法、特別に専用の定規を作って取りつける方法等が考えられる。
【００３３】測定棒７’に目盛を直接刻み込むことも可能で、その場合には凹型枠３２の測定棒７’のスライド孔６の上に読取り窓１５を設け、該読取り窓の縁に読取基点８’を設定する等の方法で測定値を読取ることが可能である。（図５参照）
【符号の説明】
【００３４】１  本発明になる寸法測定器（請求項１）
２  凹型枠（請求項１）
３  測定子
３’  測定子の一部が凹型枠底部と反対方向に飛び出す例
３’’回転式測定子が１８０度回転して凹型枠底部と反対方向に飛び出す例
４  測定円盤
５  計測用定規
６  測定棒スライド孔
７  測定棒
７’  寸法目盛付測定棒
８  定規の目盛読取り基点
８’  寸法目盛付測定棒の目盛読取り基点
９  初期寸法設定用ストッパー
１０  弱い圧力バネ
Ｌ０  初期間隔
Ｌ  測定寸法
１１  凹型枠の底部
１２  凹型測定枠上縁（１）
１３  凹型測定枠上縁（２）
１４  凹型測定枠上縁（３）
１５  寸法目盛読取り窓
１６  回転式測定子の取付け鋲
２１  本発明になる寸法測定器（請求項２）
２２  寸法測定器（請求項２）の凹型枠
３１  測定棒に寸法計測用の目盛を刻んだ寸法測定器
３２  測定棒に寸法計測用の目盛を刻んだ寸法測定器の凹型枠
４１  ＭＬゲージの本体
４２  ＭＬゲージのスライド式測定子
【図１】
2012132888.tif 000003
【図２】
2012132888.tif 000004
【図３】
2012132888.tif 000005
【図４】
2012132888.tif 000006
【図５】
2012132888.tif 000007
【図６】
2012132888.tif 000008
【図７】
2012132888.tif 000009